(57)【特許請求の範囲】
【請求項１】
親局装置とともにデータ収集システムを構成する移動式のデータ送受信用子局装置であって、
複数の当該データ送受信用子局装置間でのデータ返送の順番を示す符号が付与されたデータ要求信号を上記親局装置から受信したとき電源をオンする第１の手段と、
上記符号に基づく順番で上記親局装置側に対しデータ返送を行い、該データ返送を終了したとき上記電源をオフする第２の手段と、
を備え、電源オンの持続期間を、データ返送の順番が早い場合は短く、該データ返送の順番が遅い場合は長くなるように変え、かつ、上記親局装置からのデータ要求信号に対して複数の当該データ送受信用子局装置が応答し、複数回のデータ要求信号を受信したとき、当該複数のデータ送受信用子局装置間で該データ返送の順番が入れ替わり、当該複数のデータ送受信用子局装置間における電源オン状態持続時間の総和を揃える構成としたことを特徴とするデータ送受信用子局装置。
【請求項２】
データ送受信用親局装置と複数のデータ送受信用子局装置とを備えて成るデータ収集システムであって、
上記データ送受信用親局装置が、上記複数のデータ送受信用子局装置側に送信するデータ要求信号として、当該複数のデータ送受信用子局装置からのデータ返送の順番を示す符号が付与されたデータ要求信号を形成し出力する構成を備え、
上記複数のデータ送受信用子局装置がそれぞれ、上記データ要求信号を受信したとき応答して自己の電源をオンし、上記符号に基づく順番に従って上記データ送受信用親局装置側に対してデータ返送を行い、該返送を終了したとき上記電源をオフする構成を備え、
上記データ送受信用親局装置のデータ要求信号により、上記複数のデータ送受信用子局装置間でのデータ返送の順番を変えて、それぞれの該データ送受信用子局装置における電源オンの持続期間を、データ返送の順番が早い場合は短く、該データ返送の順番が遅い場合は長くなるように変え、複数回のデータ要求信号を受信したとき、当該複数のデータ送受信用子局装置間で該データ返送の順番が入れ替わり、当該複数のデータ送受信用子局装置間における電源オン状態持続時間の総和を揃える構成としたことを特徴とするデータ収集システム。
【請求項３】
上記第２の手段は、親局装置側から奇数回目にデータ要求信号を受信したときと、偶数回目にデータ要求信号を受信したときとで、上記データ返送の順番が互いに異なる構成である請求項１に記載のデータ送受信用子局装置。
【請求項４】
上記データ送受信用親局装置から上記データ送受信用子局装置側に送信されるデータ要求信号に付与された上記符号は、奇数回目に送信されるデータ要求信号と偶数回目に送信されるデータ要求信号とで、該データ送受信用子局装置から該データ送受信用親局装置側へのデータ返送の順番を互いに異なるようにする符号である請求項２に記載のデータ収集システム。
【請求項５】
上記第２の手段は、指示信号により該データ送受信用子局装置からのデータ返送の順番が変更されたデータ要求信号を受信したとき、該変更された順番で親局装置側にデータ返送を行う構成である請求項１または請求項３に記載のデータ送受信用子局装置。
【請求項６】
上記データ送受信用親局装置から上記データ送受信用子局装置側に送信されるデータ要求信号に付与された符号は、指示信号によって、該データ送受信用子局装置からのデータ返送の順番が異なったものに変更可能である請求項２または請求項４に記載のデータ収集システム。
【発明の詳細な説明】
【０００１】
【発明の属する技術分野】
本発明は、データ収集システム用のデータ送受信用親局装置及びデータ送受信用子局装置の構成に関する。
【０００２】
【従来の技術】
従来、データ収集システムにおいては、データ収集する親局装置からのデータ要求信号により、子局装置は親局装置に対し、番号の若い子局装置の順にデータ返送を行っている。この場合、子局装置は、親局装置からの無線電波の受信と同時にバッテリ等自己電源をオンし、データ送信終了後には電力消耗を抑えるために、該自己電源をオフする制御を装置内部で行っている。図４は、従来のデータ収集システムの構成例図（（ａ））、及び子局装置の電源オン・オフ状態の説明図（（ｂ））である。図４において、１台の親局装置に対し複数台の子局装置が対応しており、１'は親局装置、２'〜ｎ'は子局装置、５１'は親局装置のアンテナ、５２'は子局装置のアンテナ、Ａ'は、親局装置１'から複数の子局装置２'〜ｎ'に対し無線送信されるデータ要求信号である。該データ要求信号Ａ'中にはデータ収集を示す符号が含まれている。該複数の子局装置２'〜ｎ'は、該親局装置１'からのデータ要求信号Ａ'の電波をアンテナ５２'を介し受信した時点で一斉に、自己電源がオン状態とされ（▲１▼'）、各子局装置２'〜ｎ'は、子局装置２'から子局装置ｎ'までが順に、親局装置１'に対し測定データ等のデータ返送を行い（▲３▼'）、該データ返送後にそれぞれが自己電源をオフする（▲２▼'）。該従来方式においては、親局装置１'から送信されるデータ要求信号Ａ'は、送信回次毎に、子局装置２'〜ｎ'のデータ返送の順番に関して同じ内容とされている。すなわち、１回目の送信のものと２回目以降の送信のもの、または、ｍ回目の送信のものとｍ＋１回目の送信のものとがデータ返送の順番に関して同じ内容とされる。
【０００３】
【発明が解決しようとする課題】
例えば、上記従来技術においては、親局装置１'へのデータ返送順序が遅い子局装置ほど、電源オン状態の持続時間が常に長くなるため、自己電源の電力消耗が多くなる。上記図４においては、子局装置２'〜ｎ'のうちで子局装置ｎ'がデータ返送順番が常に最も遅い。このため、該子局装置ｎ'が自己電源のオン状態持続時間が常に最も長くなり、電源の電力消耗が最も多くなる。該子局装置ｎ'の電源のオン状態持続時間は、１回のデータ要求信号の受信に対しｔn'、Ｎ回のデータ要求信号の受信に対してはＮ・ｔn'となる。反対に、子局装置２'はデータ返送順番が常に最も早いため、装置電源のオン状態持続時間がいつも最も短く、自己電源の電力消耗が最も少ない。該子局装置２'の電源のオン状態持続時間は、１回のデータ要求信号の受信に対しｔ1'、Ｎ回のデータ要求信号の受信に対してはＮ・ｔ1'となる。他の子局装置の電源のオン状態持続時間はそれぞれ、上記子局装置ｎ'の値と子局装置２'の値との中間の値となる。このため、複数の子局装置２'〜ｎ'間では電源の電力消耗量に大きな差が発生し、このために、例えば、該バッテリ等電源の充電等のメンテナンスを行うなどの場合、複数の子局装置間で充電時期や充電時間等が異なることになり、管理上での不都合となる。
本発明の課題点は、複数の子局装置間で電源の電力消耗量の差を抑えられるようにすることである。
本発明の目的は、かかる課題点を解決できる技術の提供にある。
【０００４】
【課題を解決するための手段】
上記課題点を解決するために、本発明では、基本的には、データ収集システム用の親局装置を、データ返送の順番を示す符号が付与されたデータ要求信号を形成可能かつ該符号におけるデータ返送の順番を変更可能な構成とする。また、子局装置は、該データ要求信号を受信したとき自己の電源をオン状態とし、該データ要求信号に付与された、データ返送の順番を示す上記符号に基づく順番でデータ返送を行い、該返送を終了したとき上記自己の電源をオフ状態にする構成とする。具体的には、（１）子局装置として、複数の当該データ送受信用子局装置間でのデータ返送の順番を示す符号が付与されたデータ要求信号を上記親局装置から受信したとき電源をオンする第１の手段と、上記符号に基づく順番で上記親局装置側に対しデータ返送を行い、該データ返送を終了したとき上記電源をオフする第２の手段とを備え、電源オンの持続期間を、データ返送の順番が早い場合は短く、該データ返送の順番が遅い場合は長くなるように変え、かつ、上記親局装置からのデータ要求信号に対して複数の当該データ送受信用子局装置が応答し、複数回のデータ要求信号を受信したとき、当該複数のデータ送受信用子局装置間で該データ返送の順番が入れ替わり、当該複数のデータ送受信用子局装置間における電源オン状態持続時間の総和を揃える構成とする。また、（２）データ収集システムとしては、上記親局装置が、複数の子局装置側に送信するデータ要求信号として当該複数の子局装置からのデータ返送の順番を示す符号が付与されたデータ要求信号を形成し出力する構成を備え、該複数の子局装置がそれぞれ、上記データ要求信号を受信したとき応答して自己の電源をオンし、上記符号に基づく順番に従って上記親局装置側に対してデータ返送を行い、該返送を終了したとき上記電源をオフする構成を備え、上記親局装置のデータ要求信号により、上記複数の子局装置間でのデータ返送の順番を変えて、それぞれの該子局装置における電源オンの持続期間を、データ返送の順番が早い場合は短く、該データ返送の順番が遅い場合は長くなるように変え、複数回のデータ要求信号を受信したとき、当該複数の子局装置間で該データ返送の順番が入れ替わり、当該複数の子局装置間における電源オン状態持続時間の総和を揃える構成とする。
上記データ要求信号は、上記符号に従って、上記子局装置のデータ返送の順番を規定する。データ要求信号の送信時におけるデータ返送の順番を変えることにより、１つの子局装置内においても複数のデータ返送時における電源のオフタイミングを変えて電源オン状態の持続時間を制御し、複数の子局装置それぞれにおける電源オン状態持続時間の和を該複数の子局装置間で揃える。
【０００５】
【発明の実施の形態】
以下、本発明の実施例につき、図面を用いて説明する。
図１〜図３は、本発明の実施例を示す図で、図１は、データ収集システムの構成例図（（ａ））、及びデータ送受信用子局装置の電源オン・オフ状態の説明図（（ｂ））、図２はデータ送受信用親局装置の構成例図、図３はデータ送受信用子局装置の構成例図である。
図１（ａ）において、１はデータ送受信用親局装置（以下、親局装置という）、２〜ｎはデータ送受信用子局装置（以下、子局装置という）、５１は親局装置のアンテナ、５２は子局装置のアンテナ、Ａは、親局装置１から複数の子局装置２〜ｎに対し無線送信されるデータ要求信号である。該データ要求信号Ａ中には、データ収集を示す符号と子局装置からのデータ返送の順番を示す符号とが含まれている。親局装置１から送信される該データ要求信号Ａは、送信回次毎に、子局装置からのデータ返送の順番を変更した符号を含んで送信されるようになっている。つまり、１回目に送信されるデータ要求信号では、子局装置からのデータ返送の順番を示す符号として、子局装置２から子局装置ｎの順でデータ返送が行われるようにした符号であり、２回目に送信されるデータ要求信号では、子局装置からのデータ返送の順番を示す符号として、上記１回目とは反対に、子局装置ｎから子局装置２の順でデータ返送が行われるようにした符号であり、３回目に送信されるデータ要求信号では、子局装置からのデータ返送の順番を示す符号として、再び、子局装置２から子局装置ｎの順でデータ返送が行われるようにした符号である。以降の送信回次ではこれを繰り返すようになっている。複数の子局装置２〜ｎはそれぞれ、親局装置１からアンテナ５１を介し送信される上記データ要求信号Ａの電波を、アンテナ５２を介し受信し、自己電源のオン、該電源オン状態でのデータ返送及び電源のオフを行う。図１（ｂ）において、上記親局装置１から１回目に送信されたデータ要求信号、つまり、子局装置からのデータ返送の順番を示す符号として、子局装置２から子局装置ｎの順でデータ返送が行われるようにした符号を含んだデータ要求信号に対し、子局装置２〜ｎは、一斉にそれぞれの電源をオン状態にする（▲１▼）。その後、子局装置２〜ｎは、データ返送の順番（子局装置２から子局装置ｎの順番）を示す符号に従ってデータ返送を行う。最初に子局装置２が親局装置１に対して測定データ等のデータ返送を行い（▲３▼）、該データ返送を終了したときに電源をオフ状態にする（▲２▼）。さらに、子局装置３（図示なし）、子局装置４（図示なし）、…、子局装置ｎの順番で、親局装置１に対して測定データ等のデータ返送を行い（▲３▼）、該データ返送を終了したときに電源をオフ状態にする（▲２▼）。このとき、各子局装置のそれぞれの電源のオン状態時間は、子局装置２はｔ1、子局装置３はｔ2（図示なし）、…、子局装置ｎはｔnで、データ返送順番の最も遅い子局装置ｎの電源のオン状態時間ｔnが最も長く、反対に、データ返送順番の最も早い子局装置２の電源のオン状態時間ｔ1が最も短い。親局装置１から２回目に送信されたデータ要求信号（図示なし）、つまり、子局装置からのデータ返送の順番を示す符号として、子局装置ｎから子局装置２の順でデータ返送が行われるようにした符号を含んだデータ要求信号に対し、子局装置２〜ｎは、上記１回目のデータ要求信号を受信した場合と同様、一斉にそれぞれの電源をオン状態にする（▲１▼）。その後、子局装置２〜ｎは、データ返送の順番（子局装置ｎから子局装置２の順番）を示す符号に従ってデータ返送を行う。最初に子局装置ｎが親局装���１に対して測定データ等のデータ返送を行い（▲３▼）、該データ返送を終了したときに電源をオフ状態にする（▲２▼）。さらに、子局装置ｎ−１（図示なし）、子局装置ｎ−２（図示なし）、…、子局装置２の順番で、親局装置１に対して測定データ等のデータ返送を行い（▲３▼）、該データ返送を終了したときに電源をオフ状態にする（▲２▼）。このとき、各子局装置のそれぞれの電源のオン状態時間は、子局装置ｎはｔ1、子局装置ｎ−１（図示なし）はｔ2（図示なし）、子局装置ｎ−２（図示なし）はｔ3（図示なし）、…で、データ返送順番の最も遅い子局装置２の電源のオン状態時間ｔnが最も長く、反対に、データ返送順番の最も早い子局装置ｎの電源のオン状態時間ｔ1が最も短い。親局装置１から３回目に送信されたデータ要求信号、つまり、子局装置からのデータ返送の順番を示す符号として、子局装置２から子局装置ｎの順でデータ返送が行われるようにした符号を含んだデータ要求信号に対し、子局装置２〜ｎの電源のオン・オフ動作のタイミングは、上記１回目のデータ要求信号を受信した場合と同様になる。さらに、親局装置１から４回目に送信されたデータ要求信号、つまり、子局装置からのデータ返送の順番を示す符号として、子局装置ｎから子局装置２の順でデータ返送が行われるようにした符号を含んだデータ要求信号に対し、子局装置２〜ｎの電源のオン・オフ動作のタイミングは、上記２回目のデータ要求信号を受信した場合と同様になる。つまり、本実施例の場合は、親局装置１から奇数回目に送信されたデータ要求信号を受信したときの子局装置２〜ｎの電源のオン・オフ動作のタイミングは、上記１回目のデータ要求信号を受信した場合と同様になり、偶数回目に送信されたデータ要求信号を受信したときの子局装置２〜ｎの電源のオン・オフ動作のタイミングは、上記２回目のデータ要求信号を受信した場合と同様になる。図１（ｂ）は、１回目のデータ要求信号を受信した場合と、その後、偶数回目のデータ要求信号を受信したときの子局装置２〜ｎの電源のオン・オフ動作のタイミングを示している。上記のように、複数回送信されるデータ要求信号に対し、子局装置２〜ｎそれぞれの電源オン状態持続時間の和（以下、和時間という）は、子局装置２の場合はｔ1＋ｔn＋ｔ1＋ｔn＋…、子局装置ｎの場合はｔn＋ｔ1＋ｔn＋ｔ1＋…となり、子局装置３、４、…、ｎ−１の場合もそれぞれに対応した和時間を有している。子局装置２の上記和時間と子局装置ｎの上記和時間とは略等しい長さの時間となる。他の子局装置の場合の和時間も、これら子局装置２、子局装置ｎの場合の和時間とは差の少ない時間となる。
【０００６】
図２は、上記図１の親局装置１の構成例を示す図である。
図２において、１ａはデータ要求信号Ａを形成したり、子局装置２〜ｎにおけるデータ返送の順番を変えるようにデータ要求信号Ａ中の符号を変更したり、子局装置２〜ｎからの返送データを信号処理したりする信号形成・処理部、２１ａは、上記データ要求信号Ａ中の符号を変更したり、子局装置２〜ｎからの返送データを処理したりする信号形成・処理回路、１１ａは、データ要求信号Ａを子局装置２〜ｎ側に送信したり、または子局装置２〜ｎからの返送データを受信したりする無線部、１ｂは、上記信号形成・処理回路２１ａを制御したり、該信号形成・処理回路２１ａで処理したデータを記憶したりする通信制御処理部、５１はアンテナである。通信制御処理部１ｂはパソコンなどで構成され、データ返送の順番を示すプログラムによって上記信号形成・処理回路２１ａを制御して、所定のデータ返送の順番を示す符号の付与されたデータ要求信号Ａを形成させたり、該信号形成・処理回路２１ａで処理したデータを演算したり、演算結果を記憶したりする。該通信制御処理部１ｂでは、キーボード操作などによって、データ返送の順番を示すプログラムの変更が可能である。該プログラムも、該通信制御処理部１ｂ内のメモリや、別途装填されるディスク等に記憶される。
【０００７】
図３は、上記図１における子局装置２の構成例を示す図である。
図３において、１２は、親局装置１からのデータ要求信号Ａを受信したり、親局装置１への返送データを送信したりする無線部、２２は、受信したデータ要求信号Ａに基づき自己の電源（バッテリ）をオン・オフする制御信号を形成したり、親局１側への返送データを形成したりする信号処理部、３２は温度などを測定し、データを電気信号として出力する測定部、４２は電源としてのバッテリ、５２はアンテナである。かかる構成において、子局装置２は、アンテナ５２を介し無線部１２で、親局装置１からのデータ要求信号Ａを受信し、信号処理部２２で、データ要求信号Ａによりバッテリ４２をオン状態にするための制御信号を形成したり、該データ要求信号Ａに付与されたデータ返送の順番を示す符号に基づくデータ返送後に該バッテリ４２をオフ状態にするための制御信号を形成したりする。バッテリ４２は、上記制御信号によりオンされた状態では、上記信号処理部２２や上記測定部にそれぞれの動作用の電力を供給する。信号処理部２２は、また、上記バッテリ４２から電力供給を受けているとき、測定部３２からの測定データ等に基づき親局１側への返送データを形成し、これを、上記データ要求信号Ａに付与されたデータ返送の順番を示す符号に基づく順番で、上記無線部１２側に出力する。該出力後は、上記バッテリ４２をオフするための上記制御信号を形成し、該バッテリ４２をオフ状態にする。該子局装置２は、２回目以降のデータ要求信号Ａを受信した場合も、上記のように、バッテリ４２のオン状態化、上記データ要求信号Ａに付与されたデータ返送の順番を示す符号に基づく順番での測定データの返送、及び該データ返送後のバッテリ４２のオフ状態化等を行う。
【０００８】
上記実施例によれば、上記データ要求信号Ａにより、子局装置から親局装置に対し測定データの順番を変更して返送することができ、複数の子局装置のバッテリ間でオン状態持続時間の和を揃えることができる。この結果、複数の子局装置間でバッテリ電力の消耗量を揃えることができ、バッテリのメンテナンス等をまとめて行うことができるようになる。
【０００９】
【発明の効果】
本発明によれば、データ収集システムにおいて、複数の子局装置間で電源の電力消耗量の差を抑えられる。
【図面の簡単な説明】
【図１】本発明のデータ収集システムの構成例図である。
【図２】本発明のデータ送受信用親局装置の構成例図である。
【図３】本発明のデータ送受信用子局装置の構成例図である。
【図４】従来のデータ収集システムの構成例図である。
【符号の説明】
１、１'…データ送受信用親局装置、  １ａ…信号形成・処理部、  １ｂ…通信制御処理部、  ２〜ｎ、２'〜ｎ'…データ送受信用子局装置、  １１ａ、１２…無線部、  ２１ａ…信号形成・処理回路、  ２２…信号処理部、  ３２…測定部、  ４２…バッテリ、  ５１、５１'…親局装置のアンテナ、  ５２、５２'…子局装置のアンテナ、  Ａ、Ａ'…データ要求信号。
【図１】
0003947412.tif 000002
【図２】
0003947412.tif 000003
【図３】
0003947412.tif 000004
【図４】
0003947412.tif 000005